(57)【要約】      （修正有）【課題】円筒状の本体を有するカメラに装着することで一般的な形状のカメラに近い操作感で操作することを可能にし、かつ右利きの使用者でも左利きの使用者でも、ほぼ同様の操作感で操作可能とするカメラアクセサリを提供する。【解決手段】カメラ本体１０１と、カメラ本体の外周面に設けられたレリーズボタン１０５とを備えたカメラ１００に装着されるカメラアクセサリ１は、カメラ本体が取り付けられる装着部１５を有する本体部１０と、装着部の周囲に設けられた梃子部材２０とを備え、梃子部材は、使用者が操作する押下部２３と、押下部が操作されることによりカメラ本体に接近可能に構成された押圧部２４とを有し、装着部は、本体部を複数の装着態様でカメラ本体に装着できるように構成され、押下部は、本体部が第二の装着態様でカメラ本体に装着されたときに、本体部が第一の装着態様でカメラ本体に装着されたときに対して、カメラ本体に対して左右対称となる位置に配される。【選択図】図８
0003207709.tif 000002
【実用新案登録請求の範囲】
【請求項１】
略円筒状のカメラ本体と、前記カメラ本体の外周面に設けられたレリーズボタンとを備えたカメラに装着されるカメラアクセサリであって、
前記カメラ本体が取り付けられる装着部を有する本体部と、
前記本体部において、前記装着部の周囲に設けられた梃子部材と、
を備え、
前記梃子部材は、
使用者が操作する押下部と、
前記押下部が操作されることにより前記装着部に装着された前記カメラ本体に接近可能に構成された押圧部と、を有し、
前記装着部は、前記本体部を複数の装着態様で前記カメラ本体に装着できるように構成され、
前記押下部は、前記本体部が第二の装着態様で前記カメラ本体に装着されたときに、前記本体部が第一の装着態様で前記カメラ本体に装着されたときに対して、前記カメラ本体に対して左右対称となる位置に配される、
カメラアクセサリ。
【請求項２】
前記梃子部材は、前記本体部に接続される第一端部を有し、
前記押圧部は、前記第一端部と前記押下部との間に設けられている、
請求項１に記載のカメラアクセサリ。
【請求項３】
前記梃子部材は、前記本体部に接続される第一端部を有し、
前記押下部と前記押圧部との距離は、前記第一端部と前記押圧部との距離よりも長い、
請求項２に記載のカメラアクセサリ。
【請求項４】
前記第二の装着態様は、前記第一の装着態様から前記本体部が前後反転された状態である、
請求項１に記載のカメラアクセサリ。
【請求項５】
前記梃子部材は、前記装着部を挟んで対向するように２つ設けられており、
前記第二の装着態様は、前記第一の装着態様から前記本体部が上下反転された状態である、
請求項１に記載のカメラアクセサリ。
【請求項６】
貫通する覗き穴を有するファインダ部をさらに備え、
前記本体部が前記第一の装着態様で前記カメラ本体に装着されたときと前記本体部が前記第二の装着態様で前記カメラ本体に装着されたときとにおいて、前記ファインダ部は前記カメラ本体に対して左右対称または同一位置に配され、
前記覗き穴の形状は、貫通方向中央を中心として前記貫通方向両側に対称となるように設定されている、
請求項１に記載のカメラアクセサリ。
【請求項７】
前記本体部は、
前記カメラ本体の下側に装着される第一本体と、
前記第一本体に対して着脱可能に構成され、前記カメラ本体の上側に装着される第二本体と、を有し、
前記梃子部材は前記第二本体に設けられ、
前記第二の装着態様は、前記第一の装着態様から前記第二本体を前後反転させて前記第一本体に取り付けた状態である、
請求項１に記載のカメラアクセサリ。
【考案の詳細な説明】
【技術分野】
【０００１】
本考案は、カメラアクセサリ、より詳しくは、略円筒状の本体を有するカメラに装着されるカメラアクセサリに関する。
【背景技術】
【０００２】
従来、レンズ等の光学系および撮像素子等が略円筒状の本体に収容されたカメラが知られている（例えば、特許文献１参照。）。このカメラにおいて、各種機能を実行するために使用者が操作するボタンの多くは、略円筒状の本体の外周面に設けられている。
【先行技術文献】
【特許文献】
【０００３】
【特許文献１】特開２０１５−８４０７０号公報
【考案の概要】
【考案が解決しようとする課題】
【０００４】
特許文献１に記載のカメラを使用する場合、通常使用者は本体の外周面を把持しながらボタンを操作する。一方、このようなカメラであっても、光学系が収容された鏡胴と、鏡胴が取り付けられた略直方体状の本体とを備えた一般的な形状のカメラに近い操作感で操作したいという要望も存在する。
【０００５】
また、一般的な形状のカメラに近い操作感を実現するにあたっては、右利きの使用者でも左利きの使用者でも、操作感が大きく変わらないことが好ましい。
【０００６】
本考案は、上述した事情を踏まえ、円筒状の本体を有するカメラに装着することで一般的な形状のカメラに近い操作感で操作することを可能にし、かつ右利きの使用者でも左利きの使用者でも、ほぼ同様の操作感で操作可能なカメラアクセサリを提供することを目的とする。
【課題を解決するための手段】
【０００７】
本考案は、略円筒状のカメラ本体と、前記カメラ本体の外周面に設けられたレリーズボタンとを備えたカメラに装着されるカメラアクセサリであって、前記カメラ本体が取り付けられる装着部を有する本体部と、前記本体部において、前記装着部の周囲に設けられた梃子部材とを備え、前記梃子部材は、使用者が操作する押下部と、前記押下部が操作されることにより前記装着部に装着された前記カメラ本体に接近可能に構成された押圧部とを有し、前記装着部は、前記本体部を複数の装着態様で前記カメラ本体に装着できるように構成され、前記本体部が第一の装着態様で前記カメラ本体に装着されたときと前記本体部が第二の装着態様で前記カメラ本体に装着されたときとにおいて、前記押下部は前記カメラ本体に対して左右対称の位置に配されるカメラアクセサリである。
【考案の効果】
【０００８】
本考案のカメラアクセサリによれば、円筒状の本体を有するカメラに装着することで一般的な形状のカメラに近い操作感で操作することを可能にし、かつ右利きの使用者でも左利きの使用者でも、ほぼ同様の操作感で操作することができる。
【図面の簡単な説明】
【０００９】
【図１】本考案のカメラアクセサリが装着されるカメラの一例を示す斜視図である。
【図２】同カメラの平面図である。
【図３】本考案の第一実施形態に係るカメラアクセサリを示す斜視図である。
【図４】同カメラアクセサリを背面側から見た状態を示す斜視図である。
【図５】図４のＩ−Ｉ線における断面図である。
【図６】（ａ）から（ｃ）は、同カメラアクセサリのファインダ部の形状を示す図である。
【図７】同カメラアクセサリが同カメラに装着された状態の一例を示す図である。
【図８】図７における同カメラアクセサリを断面で示した図である。
【図９】本実施形態の変形例におけるカメラアクセサリが同カメラに装着された状態を示す図である。
【図１０】同カメラアクセサリに光学ビューファインダーが取り付けられた状態を示す図である。
【図１１】本考案の第二実施形態に係るカメラアクセサリを示す斜視図である。
【図１２】同カメラアクセサリが上下反転された状態を示す斜視図である。
【図１３】同カメラアクセサリが同カメラに装着された状態の一例を示す図である。
【図１４】本考案の第三実施形態に係るカメラアクセサリが同カメラに装着された状態の一例を示す図である。
【図１５】同カメラアクセサリが同カメラに装着された状態を示す図であり、第一本体と第二本体とを分離した状態で示している。
【図１６】同カメラアクセサリが同カメラに装着された状態の他の例を示す図である。
【考案を実施するための形態】
【００１０】
本考案の第一実施形態について、図１から図９を参照して説明する。
図１は、本考案のカメラアクセサリ（以下、単に「アクセサリ」と称することがある。）が装着されるカメラの一例であるカメラ１００を示す斜視図である。図２は、カメラ１００の平面図である。図１および図２に示すように、カメラ１００は、略円筒状のカメラ本体１０１を備え、カメラ本体１０１内にレンズ等の撮像光学系や、撮像素子等が収容されて構成されており、その基本構成は公知である。
カメラ１００において、使用者が静止画像を取得する際に押すレリーズボタン１０５は、カメラ本体１０１の外周面１０１ａに設けられている。図示を省略するが、外周面１０１ａには、固定用のネジ穴も設けられている。
【００１１】
図３は、本実施形態のカメラアクセサリ１を示す斜視図である。アクセサリ１は、本体部１０と、本体部１０に取り付けられた梃子部材２０およびファインダ部３０とを備えている。
【００１２】
本体部１０は、略直方体状に形成されており、正面１１および背面１２を有する。図４は、アクセサリ１を背面１２側から見た斜視図である。本体部１０には、正面１１から背面１２に向かって貫通する略円形の貫通孔１３が形成されている。貫通孔１３の内径は、カメラ本体１０１のうち、少なくともレリーズボタン１０５が設けられた部分が挿通できるように設定されている。貫通孔１３の内周面１３ａには、固定用のネジが挿通されるネジ穴１４が設けられている。貫通孔１３およびその周縁部分と、ネジ穴１４とにより、アクセサリ１をカメラ１００に装着するための装着部１５が構成されている。
【００１３】
図５は、図４に示すＩ−Ｉ線におけるアクセサリ１の断面図である。梃子部材２０は、全体として細長に形成されており、第一端部２１および第二端部２２を有する。梃子部材２０は、第一端部２１のみが本体部１０と接続されて装着部１５の周囲に設けられており、第一端部２１およびその近傍が弾性変形することにより本体部１０に対して相対移動可能に構成されている。
【００１４】
梃子部材２０の第二端部２２には、ボタン状に形成された押下部２３が形成されている。また、梃子部材２０において、第一端部２１と第二端部２２との間の中間領域の一部は、貫通孔１３に向かって凸となる形状に形成されている。これにより、第一端部２１と第二端部２２との間に押圧部２４が形成されている。
【００１５】
ファインダ部３０は、使用者が構図等を確認する際に覗き込む部位である。ファインダ部３０には、光学素子は配置されておらず、貫通孔１３と略平行に延びる覗き穴３０ａのみが設けられている。
図６は、ファインダ部３０の形状を示す図であり、それぞれ、（ａ）は、全体斜視図、（ｂ）は、（ａ）のＩＩ−ＩＩ線における断面斜視図、（ｃ）は、（ａ）のＩＩＩ−ＩＩＩ線における断面斜視図である。本実施形態における覗き穴３０ａは、長方形であり、貫通方向における両端部において最も面積が大きく、貫通方向における中央でもっとも面積が小さくなるように面積が徐々に変化している。すなわち、覗き穴３０ａは、貫通方向中央を中心として、貫通方向の両側に対称となる形状を有する。また、覗き穴３０ａの長方形形状における長辺と短辺との長さの比（縦横比）は、貫通方向におけるいずれの位置においても同一であり、不変である。
覗き穴３０ａの形状が上記のように設定されていることにより、ファインダ部３０は、覗き３０ａを貫通方向のいずれの側から覗き込んでも見え方が変わらないように構成されている。
【００１６】
上記のように構成された本実施形態のアクセサリ１の使用時の動作について説明する。
使用者は、カメラ本体１０１の後端側を、本体部１０の貫通孔１３に挿入する。続いて、ネジ穴１４に固定用ネジを通してカメラ本体１０１のネジ穴に固定用ネジを係合させると、カメラ本体１０１がアクセサリ１の装着部１５に固定され、カメラ１００へのアクセサリ１の装着が完了する。ネジ穴１４の位置がカメラ本体１０１のネジ穴の位置に応じて適宜設定されていることにより、アクセサリ１がカメラ１００に装着された状態において、レリーズボタン１０５は、図８に示すように、押圧部２４が接触可能な場所に位置決めされている。
なお、図８では、説明の便宜のために、アクセサリ１を断面で示して梃子部材２０を見やすくしている。
【００１７】
使用者は、本体部１０を把持してカメラ１００を被写体に向けて構える。必要に応じてファインダ部３０を覗きながら、利き手で梃子部材２０の押下部２３を押し込むように操作する。すると、梃子部材２０は、第一端部２１を中心に回動し、押圧部２４がカメラ本体１０１のレリーズボタン１０５に接近して接触する。すなわち、梃子部材２０は、第一端部２１を支点、押下部２３を力点、押圧部２４を作用点とする梃子として機能するため、使用者は、レリーズボタン１０５を直接触ることなく操作することができる。
また、アクセサリ１をカメラ１００に装着することにより、光学系が収容された鏡胴と、鏡胴が取り付けられた略直方体状の本体とを備えた一般的な形状のカメラに近い操作感でカメラ１００を操作することができる。
【００１８】
アクセサリ１の装着部１５は、二通りの態様で本体部１０をカメラ１００に装着することができるように構成されている。第一の装着態様は、図３に示すように本体部１０の正面１１を前側に配置し、カメラ本体１０１の後端を本体部１０の正面１１側から貫通孔１３に挿入してアクセサリ１をカメラ１００に装着した状態であり、右利きの使用者に適した装着態様である。第二の装着態様は、図４に示すように本体部１０の背面１２を前側に配置し、カメラ本体１０１の後端を本体部１０の背面１２側から貫通孔１３に挿入してアクセサリ１をカメラ１００に装着した状態であり、左利きの使用者に適した装着態様である。
図７は第二の装着態様でアクセサリ１をカメラ本体１０１に装着した状態を示している。また、図８は第二の装着態様における本体部１０の断面図を示している。
【００１９】
第二の装着態様では、第一の装着態様に対して、本体部１０の長辺方向端部１６および押下部２３が、それぞれ装着されたカメラ本体１０１に対して左右対称となる位置に配される。
したがって、使用者は、自分の利き手に対応した装着態様でアクセサリ１をカメラ１００に装着して使用することにより、右利きであっても左利きであっても概ね同一の操作感でカメラ１００を使用することができる。
【００２０】
上記に加え、長辺方向端部１６、押下部２３、およびファインダ部３０の相対距離も、第一の装着態様と第二の装着態様とで不変である。すなわち、第一の装着態様と第二の装着態様とにおいて、ファインダ部３０も、装着されたカメラ本体１０１に対して左右対称となる位置に配される。したがって、ファインダ部３０を覗き込みながらの操作感についても、使用者の利き手に関わらず概ね同様となる。
さらに、ファインダ部３０の覗き穴３０ａは、上述したように貫通方向における中央でもっとも面積が小さくなるように面積が徐々に変化する形状とされているため、使用者がファインダ部３０を覗き込んだ際の見え方も、第一の装着態様と第二の装着態様とでほぼ同一である。
【００２１】
以上説明したように、アクセサリ１は、利き手に応じた装着態様でカメラ１００に装着することにより、右利きの使用者および左利きの使用者において、一方の使用者が操作に違和感を生じることが抑制され、いずれの使用者も好適にカメラ１００を操作することができる。
【００２２】
また、梃子部材２０の押圧部２４を直接接触させてレリーズボタン１０５を押す構造であるため、アクセサリ１に電気的構成やケーブル等を設ける必要が無く、アクセサリ１の構造が非常に簡素であり、３Ｄプリンタ等を用いて簡便かつ安価に作製することができる。
【００２３】
図９および図１０に、本実施形態の変形例を示す。本変形例のアクセサリ１Ａは、ファインダ部３０を備えない例である。本体部１０Ａには、梃子部材２０の中間部を覆うように取り付け部３５が設けられている。取り付け部３５と梃子部材２０とは接続されていないため、梃子部材２０を操作しても取り付け部３５は動かない。
【００２４】
取り付け部３５には、図１０に示すように、光学ビューファインダー（ＯＶＦ）４０を取り付けることができる。取り付け部３５におけるＯＶＦの取りつけ構造には特に制限はなく、対象とするＯＶＦの構造に応じて、例えば溝を用いた係合など適宜設定することができる。この変形例では、使用者は、使用局面に応じて最適なＯＶＦを選択し、取り付け部３５に取り付けてカメラ１００を使用することができる。
【００２５】
本変形例において、取り付け部は、必ずしも梃子部材２０の上に設けられなくてもよい。例えば、アクセサリ１においてファインダ部３０が設けられた位置にＯＶＦが取り付けられるように取り付け部の位置が設定されてもよい。
【００２６】
次に、本考案の第二実施形態について、図１１から図１３を参照して説明する。本実施形態のアクセサリと第一実施形態のアクセサリ１との異なる点は、梃子部材を複数備えている点である。以降の説明において既に説明したものと共通する構成については、同一の符号を付して重複する説明を省略する。
【００２７】
図１１は、本実施形態のアクセサリ５１を示す斜視図である。アクセサリ５１の本体部６０は、正面６１ａ側から見た形状が略長方形の本体６１と、本体６１に設けられた有底の装着部６２と、梃子部材が設けられて本体６１と接続された側壁部６３とを備えている。
【００２８】
装着部６２は、正面６１ａに開口した有底の丸穴６２ａを有する。側壁部６３は、本体６１と略直角をなすように本体６１の端部に接続されて、正面６１ａ側に延びている。
【００２９】
側壁部６３には、２つの梃子部材が接続されている。第一梃子部材７１は、第一端部７２と、第二端部７３に設けられた押圧部７３ａと、第一端部７２と第二端部７３との間に設けられた押下部７４とを有しており、第一端部７２が側壁部６３の上端に接続されている。第二梃子部材７６は、第一端部７７と、第二端部７８に設けられた押圧部７８ａと、第一端部７７と第二端部７８との間に設けられた押下部７９とを有しており、第一梃子部材７１と略同一の形状を有する。第二梃子部材７６の第一端部７７は、側壁部６３の下端に接続されている。
【００３０】
第一梃子部材７１と第二梃子部材７６とは、アクセサリ５１の正面視において、押圧部７３ａと押圧部７８ａとが丸穴６２ａの中心部を挟んで対向するように配置されている。
【００３１】
本体６１の上部および下部には、第一変形例で説明した取り付け部と同様の取り付け部３５Ａおよび３５Ｂが設けられており、本体６１にＯＶＦ４０を取り付け可能に構成されている。２つの取り付け部３５Ａおよび３５Ｂは、アクセサリ５１の正面視において、丸穴６２ａの中心部を挟んで対向するように配置されている。
【００３２】
上記のように構成された本実施形態のアクセサリ５１の使用時の動作について説明する。
使用者は、カメラ本体１０１の後端部１０６（図２参照）を装着部６２の丸穴６２ａに進入させ、カメラ本体１０１をアクセサリ５１に対して所定量回転させる。すると、カメラ本体１０１と本体６１とが係合し、アクセサリ５１がカメラ１００に装着される。カメラ本体１０１と本体６１とを係合させる構造については特に制限はなく、公知の各種構造を適宜選択して採用することができる。例えば、カメラ本体後端部の外周面にネジ山を設け、丸穴の内周面にネジ山と係合するネジ溝を設けてもよい。アクセサリ５１の装着後、使用者はカメラ本体１０１を本体６１に対して適宜回転させ、第一梃子部材７１および第二梃子部材７６のいずれかの押圧部とレリーズボタン１０５とが対向するように調節する。
【００３３】
図１２は、アクセサリ５１における、右利きの使用者に好適な第一の装着態様を示す図である。第一の装着態様では、第一梃子部材７１の押圧部７３ａ（不図示）と対向するようにレリーズボタン１０５の位置が調節されており、取り付け部３５ＡにはＯＶＦ４０が取り付けられている。使用者が第一梃子部材７１の押下部７４を押下すると、第一梃子部材７１は第一端部７２を支点として回動し、押圧部７３ａがレリーズボタン１０５と接触してレリーズボタン１０５が押される。すなわち、本実施形態に設けられた梃子部材においては、支点となる第一端部と作用点となる押圧部との間に力点となる押下部が位置している。
【００３４】
左利きの使用者に好適な第二の装着態様でアクセサリ５１を使用する場合、使用者は、図１１に示すように、第二梃子部材７６を上側にした状態でカメラ１００にアクセサリ５１を装着する。第二の装着態様では、押圧部７８ａと対向するようにレリーズボタン１０５の位置が調節され、取り付け部３５ＢにＯＶＦ４０が取り付けられる。使用者が第二梃子部材７６の押下部７９を押下すると、第一の装着態様と概ね同様の動きで第二梃子部材７６が動作する。その結果、押圧部７８ａがレリーズボタン１０５と接触してレリーズボタン１０５が押される。
【００３５】
本実施形態のアクセサリ５１においても、第一実施形態と同様に、利き手に応じた装着態様でカメラ１００に装着することにより、右利きの使用者および左利きの使用者において、一方の使用者が操作に違和感を生じることが抑制され、いずれの使用者も好適にカメラ１００を操作することができる。
【００３６】
本実施形態において、取り付け部が設けられる位置は、本体６１の左右方向中央に限られず、適宜変更されてよい。この場合、第一の装着態様と第二の装着態様とで、取り付け部と押下部との距離や位置の関係が概ね同様となるように２つの取り付け部の位置を設定するのが好ましい。
また、取り付け部を２つ設けるのに代えて、ファインダ部３０を２つ設けてもよい。
【００３７】
次に、本考案の第三実施形態について、図１４から図１６を参照して説明する。本実施形態のアクセサリと上述した各実施形態のアクセサリとの異なる点は、本体部が着脱可能な複数の部材からなる点である。
【００３８】
図１４は、本実施形態のアクセサリ１５１がカメラ１００に装着された状態を示す図である。アクセサリ１５１は、本体部１６０を備えている。本体部１６０の外形は、ファインダ部３０の位置を除いて第一実施形態における本体部１０と概ね同様であるが、本体部１６０は、図１５に示すように、カメラ１００の下側に装着される第一本体１６１と、カメラ１００の上側に装着される第二本体１６２とからなる。
【００３９】
第一本体１６１は、カメラ本体１０１が取り付けられる貫通孔の一部となる円弧状の内周面を有する略アーチ状に形成されており、内周面には、第一実施形態のネジ穴１４と同様のネジ穴（不図示）を有する。
【００４０】
第二本体１６２も、カメラ本体１０１が取り付けられる貫通孔の一部となる円弧状の内周面を有する略アーチ状に形成されており、梃子部材２０を有する。梃子部材２０上にはファインダ部３０が設けられているが、ファインダ部３０は、上述した取り付け部３５と同様に、梃子部材２０とは接続されていないため、梃子部材２０の動作には影響を与えない。
【００４１】
上記のように構成された、本実施形態のアクセサリ１５１の使用時の動作について説明する。
第一本体１６１に第二本体１６２を取り付けると、両者の円弧状の内周面が連続することにより、カメラ本体１０１を挿入可能な貫通孔１３を有する装着部１６３が本体部１６０に形成される。使用者は、カメラ本体１０１の後端部を貫通孔１３に挿入し、その後は第一実施形態と概ね同様の手順でアクセサリ１５１をカメラ１００に装着することができる。
他の装着方法として、まず第一本体１６１とカメラ本体１０１とをネジで固定し、その後第一本体１６１に第二本体１６２を取り付けてもよい。
【００４２】
図１４には、アクセサリ１５１における第一の装着態様を示している。第一の装着態様においては、第一本体１６１の正面１６１ａと、第二本体１６２の正面１６２ａとが同じ側に位置するように、第一本体１６１と第二本体１６２とが連結されている。アクセサリ１５１において、使用者の利き手の掌が接触する本体部１６０の長辺方向端部１６０ａと、押下部２３との位置関係は、第一実施形態と概ね同様である。
【００４３】
図１６に、アクセサリ１５１における第二の装着態様を示す。第二の装着態様においては、第一の装着態様から第二本体１６２が反転され、第一本体１６１の正面１６１ａと、第二本体１６２の背面１６２ｂとが同じ側に位置するように、第一本体１６１と第二本体１６２とが連結されている。
【００４４】
第一本体１６１と第二本体１６２とを着脱可能に連結する機構については、特に制限はなく、公知の各種構造から適宜選択することができる。例えば、磁石を用いた構造や、凹凸を有する嵌合構造等が挙げられる。
【００４５】
本実施形態のアクセサリ１５１においても、上述の各実施形態と同様に、利き手に応じた装着態様でカメラ１００に装着することにより、右利きの使用者および左利きの使用者において、一方の使用者が操作に違和感を生じることが抑制され、いずれの使用者も好適にカメラ１００を操作することができる。
【００４６】
また、本体部１６０が、第一本体１６１と第二本体１６２とを備えているため、第二本体１６２をカメラに取り付けたまま、第一本体１６１だけを反転して再度取り付けるだけで第一の装着態様と第二の装着態様とを切り替えることができる。したがって、第一の装着態様と第二の装着態様とを切り替える際に固定ネジによるカメラ本体の固定を解除する必要が無く、操作が簡便である。
【００４７】
上述の説明では、第二本体１６２にファインダ部が設けられる例を説明したが、これに代えて、上述した変形例のように、取り付け部を設けてＯＶＦを着脱可能にアクセサリを構成してもよい。また、第一実施形態と同様の位置にファインダ部が設けられてもよい。
【００４８】
また、本体部を複数の部材で構成する態様は、上述のように上下に分割するものには限られない。例えば、第二実施形態において、本体６１と、梃子部材が設けられた側壁部６３とを着脱可能に分割し、側壁部６３のみを上下反転して本体６１に取り付けることにより第二の装着態様が実現されてもよい。
【００４９】
以上、本考案の各実施形態および変形例について説明したが、本考案の技術範囲は上記実施形態等の内容に限定されるものではなく、本考案の趣旨を逸脱しない範囲において実施形態および変形例における構成要素の組み合わせを変えたり、各構成要素に種々の変更を加えたり、削除したりすることが可能である。
【００５０】
例えば、本考案の梃子部材において、支点、力点、および作用点の配置や距離関係等は、使用者の操作感を考慮して適宜設定されてよい。一般的には、第一および第三実施形態のように、支点と作用点との距離より支点と力点との距離を長くすると、使用者がより小さい力でレリーズボタンを操作することができ、好ましい。
【００５１】
また、本考案において、梃子部材の操作対象はレリーズボタンに限られない。したがって、カメラ本体の外周面上に設けられた他の機能を発揮させるためのボタンを操作するように梃子部材が設けられてもよい。さらに、複数のボタンに対応する複数の梃子部材を備えた構成としてもよい。
【符号の説明】
【００５２】
１、１Ａ、５１、１５１  カメラアクセサリ
１０、１０Ａ、６０、１６０  本体部
１５、６２、１６３  装着部
２０  梃子部材
２１、７２、７７  第一端部
２３、７４、７９  押下部
２４、７３ａ、７８ａ  押圧部
７１  第一梃子部材
７６  第二梃子部材
１００  カメラ
１０１  カメラ本体
１０５  レリーズボタン
【図１】
0003207709.tif 000003
【図２】
0003207709.tif 000004
【図３】
0003207709.tif 000005
【図４】
0003207709.tif 000006
【図５】
0003207709.tif 000007
【図６】
0003207709.tif 000008
【図７】
0003207709.tif 000009
【図８】
0003207709.tif 000010
【図９】
0003207709.tif 000011
【図１０】
0003207709.tif 000012
【図１１】
0003207709.tif 000013
【図１２】
0003207709.tif 000014
【図１３】
0003207709.tif 000015
【図１４】
0003207709.tif 000016
【図１５】
0003207709.tif 000017
【図１６】
0003207709.tif 000018